(57)【要約】  ガイドワイヤによって案内しながらより細い血管内への導入を容易にすることを目的として、本発明に係る血管用光学装置（２）は、長手方向に貫通するルーメン（４）と、ルーメン（４）に並列して長手方向に沿って設けられたアリ溝（５）とを備える長尺のシース（６）と、ルーメン（４）内に収容され、体外から血管内の被写体に照明光を導く照明部（８）または被写体からの戻り光を体外に導く光検出部（９）の少なくとも一方からなる光学部材（７）とを備え、アリ溝（５）が、横断面円形の長尺部材（３）を長手方向に移動可能に収容可能な横断面形状を有するとともに、ルーメン（４）とは反対側に、収容した長尺部材（３）の周方向の一部を外部に突出させる長尺部材（３）の直径より小さい幅寸法の開口部（１０）を有し、シース（６）が、ルーメン（４）とアリ溝（５）との配列方向より、配列方向に直交する方向に小さい外形寸法を有する。
2018167968.tif 000002
【特許請求の範囲】
【請求項１】
長手方向に貫通するルーメンと、該ルーメンに並列して前記長手方向に沿って設けられたアリ溝とを備える長尺のシースと、
該シースの前記ルーメン内に収容され、体外から血管内の被写体に照明光を導く照明部または前記被写体からの戻り光を体外に導く光検出部の少なくとも一方からなる光学部材とを備え、
前記アリ溝が、横断面円形の長尺部材を前記長手方向に移動可能に収容可能な横断面形状を有するとともに、前記ルーメンとは反対側に、収容した前記長尺部材の周方向の一部を外部に突出させる該長尺部材の直径より小さい幅寸法の開口部を有し、
前記シースが、前記ルーメンと前記アリ溝との配列方向の外形寸法より、前記配列方向に直交する方向の外形寸法が小さい血管用光学装置。
【請求項２】
前記シースの外面と、前記アリ溝の内面との境界の稜線にＲ加工が施されている請求項１に記載の血管用光学装置。
【請求項３】
前記シースが、Ｘ線用造影材を含有する素材により構成されている請求項１または請求項２に記載の血管用光学装置。
【請求項４】
前記光学部材が、光ファイバスキャナを備える前記照明部である請求項１から請求項３のいずれかに記載の血管用光学装置。
【請求項５】
前記光学部材が、光ファイバ束からなる前記光検出部である請求項１から請求項４のいずれかに記載の血管用光学装置。
【請求項６】
請求項１から請求項５のいずれかに記載の血管用光学装置と、
該血管用光学装置の前記アリ溝に前記長手方向に移動可能に挿入される前記長尺部材とを備える血管用光学システム。
【請求項７】
前記長尺部材が、ガイドワイヤである請求項６に記載の血管用光学システム。
【発明の詳細な説明】
【技術分野】
【０００１】
本発明は、血管用光学装置および血管用光学システムに関するものである。
【背景技術】
【０００２】
血管内の病変部を観察するための血管用光学システムが知られている（例えば、特許文献１参照。）。
この血管用光学システムは、血管からの戻り光を伝播する光ファイバを貫通させるためのルーメンと、ガイドワイヤを貫通させるためのルーメンを備える管状シースを備えている。
【先行技術文献】
【特許文献】
【０００３】
【特許文献１】特表２０１２−５０４０１９号公報
【発明の概要】
【発明が解決しようとする課題】
【０００４】
しかしながら、特許文献１の血管用光学システムでは、管状シースの先端部がガイドワイヤ用のルーメンを備えるために大径化しており、細い血管内への導入が困難であるという不都合がある。【０００５】
本発明は上述した事情に鑑みてなされたものであって、ガイドワイヤによって案内しながらより細い血管内への導入を容易にすることができる血管用光学装置および血管用光学システムを提供することを目的としている。
【課題を解決するための手段】
【０００６】
本発明の一態様は、長手方向に貫通するルーメンと、該ルーメンに並列して前記長手方向に沿って設けられたアリ溝とを備える長尺のシースと、該シースの前記ルーメン内に収容され、体外から血管内の被写体に照明光を導く照明部または前記被写体からの戻り光を体外に導く光検出部の少なくとも一方からなる光学部材とを備え、前記アリ溝が、横断面円形の長尺部材を前記長手方向に移動可能に収容可能な横断面形状を有するとともに、前記ルーメンとは反対側に、収容した前記長尺部材の周方向の一部を外部に突出させる該長尺部材の直径より小さい幅寸法の開口部を有し、前記シースが、前記ルーメンと前記アリ溝との配列方向の外形寸法より、前記配列方向に直交する方向の外形寸法が小さい血管用光学装置である。【０００７】
ルーメン内に光学部材を収容し、アリ溝内に横断面円形の長尺部材を収容すると、長尺部材の周方向の一部がアリ溝の開口部から外部に突出した状態に配置される。アリ溝の開口部が長尺部材の直径より小さい幅寸法で開口しているので、アリ溝内に収容された長尺部材が開口部から外側に脱落することなく収容状態に維持される。長尺部材を長手方向に移動可能に収容する部分をルーメンではなくアリ溝により構成したことで、開口部の位置におけるシースの肉厚を確保せずに済み、ルーメンとアリ溝との配列方向の外形寸法を小さく抑えることができる。さらに、ルーメンとアリ溝との配列方向の外形寸法よりそれに直交する方向の外形寸法を小さくすることにより、シースの細径化を図ることができる。すなわち、長尺部材として横断面円形のガイドワイヤを使用すれば、ガイドワイヤによって案内しながらより細い血管内への導入を容易にすることができる。【０００８】
上記態様においては、前記シースの外面と、前記アリ溝の内面との境界の稜線にＲ加工が施されていてもよい。
このようにすることで、シースの外形を極力抑えてシースの外面とアリ溝の内面との境界の稜線が薄く形成されてもＲ加工によって稜線の先鋭化が防止され、血管内壁を傷つけないようにすることができる。【０００９】
また、上記態様においては、前記シースが、Ｘ線用造影材を含有する素材により構成されていてもよい。
このようにすることで、Ｘ線観察下で、血管内に挿入された血管用光学装置を鮮明に識別することができ、血管内での挿入作業を容易にすることができる。【００１０】
また、上記態様においては、前記光学部材が、光ファイバスキャナを備える前記照明部であってもよい。
このようにすることで、血管内に導入された状態で、体外から導光した照明光を血管内の被写体に照射することができる。【００１１】
また、上記態様においては、前記光学部材が、光ファイバ束からなる前記光検出部であってもよい。
このようにすることで、血管内に導入された状態で、被写体から戻る戻り光を体外まで導光して検出することができる。【００１２】
また、本発明の他の態様は、上記いずれかの血管用光学装置と、該血管用光学装置の前記アリ溝に前記長手方向に移動可能に挿入される前記長尺部材とを備える血管用光学システムである。
上記態様においては、前記長尺部材が、ガイドワイヤであってもよい。
【発明の効果】
【００１３】
本発明によれば、ガイドワイヤによって案内しながらより細い血管内への導入を容易にすることができるという効果を奏する。
【図面の簡単な説明】
【００１４】
【図１】本発明の一実施形態に係る血管用光学システムを示す全体図である
【図２】本発明の一実施形態に係る血管用光学装置を示す縦断面図である。
【図３】図２の血管用光学装置を示す横断面図である。
【図４】図２の血管用光学システムを示す横断面図である。
【図５】図２の血管用光学装置の第１の変形例を示す横断面図である。
【図６】図２の血管用光学装置の第２の変形例を示す横断面図である。
【図７】図２の血管用光学装置の第３の変形例を示す横断面図である。
【図８】図２の血管用光学装置の第４の変形例を示す横断面図である。
【図９】図２の血管用光学装置の第５の変形例を示す横断面図である。
【図１０】図２の血管用光学装置の第６の変形例を示す横断面図である。
【図１１】図２の血管用光学装置の第７の変形例を示す横断面図である。
【発明を実施するための形態】
【００１５】
本発明の一実施形態に係る血管用光学装置２および血管用光学システム１について図面を参照して以下に説明する。
本実施形態に係る血管用光学システム１は、図１および図２に示されるように、本実施形態に係る血管用光学装置２と、横断面円形のガイドワイヤ（長尺部材）３と、血管用光学装置２を制御する制御装置５０と、モニタ６０とを備えている。
血管用光学システム１は、照明光を血管内の（被写体）Ｘ上でスパイラル状の走査軌跡に沿って走査し、病変部Ｘの画像を取得する光学システムである。
【００１６】
本実施形態に係る血管用光学装置２は、図２および図３に示されるように、可撓性を有する材料からなり長手方向に貫通するルーメン４とアリ溝５とを備える長尺のチューブ状のシース６と、該シース６のルーメン４内に収容された光学部材７とを備えている。
光学部材７は、横断面円形のチューブの周方向に配列された複数の光ファイバ（光ファイバ束）を備える光検出部８と、該光検出部８の内側に配置された、例えば、図示しない光ファイバスキャナを備える照明部９とを備えている。
【００１７】
シース６は、例えば、Ｘ線用造影材を含有する樹脂により構成されている。
シース６は、図３に示されるように、短径と長径とを有する略長円形状の横断面形状を有するとともに、長径方向に沿ってルーメン４とアリ溝５とが配列して設けられている。シース６に設けられたルーメン４は、例えば、横断面円形の光学部材７を収容する内径寸法を有する円形の横断面形状を有している。
【００１８】
シース６に設けられたアリ溝５は、ルーメン４とは反対側の外側に向かって、所定の開口幅で開口する開口部１０を有し、開口部１０の開口幅より広い溝幅を内側に有している。
さらに詳細には、アリ溝５は横断面円形の内面を有し、該内面とシース６の外面とが交差する位置にアリ溝５の内部を外部に開放する開口部１０が設けられている。
【００１９】
ここで、図４に示されるように、アリ溝５の横断面形状である円の直径をＤ、開口部１０の開口幅をＢとすると、
Ｂ＜Ｄ
である。
【００２０】
直径Ｄはガイドワイヤ３の外径より若干大きく設定されている。これにより、ガイドワイヤ３はアリ溝５内に長手方向に移動可能に収容されるようになっている。
また、本実施形態においては、長径方向の幅寸法Ｃよりも短径方向の幅寸法Ａが小さくなるように、シース６の横断面形状が設定されている。さらに、本実施形態においては、シース６の外面とルーメン４との間、および、ルーメン４とアリ溝５との間に、最小必要肉厚ａが確保されている。図４中に示される破線は、長径方向におけるシース６の外面から開口部１０から露出するガイドワイヤ３の外面までの寸法に最小必要肉厚ａの寸法を加えた直径寸法Ｅの仮想シースの円である。
【００２１】
このように構成された本実施形態に係る血管用光学システム１および血管用光学装置２の作用について以下に説明する。
本実施形態に係る血管用光学システム１を用いて、血管内部の病変部Ｘの観察を行うには、Ｘ線観察装置を使用したＸ線観察下において、Ｘ線不透過性の材質からなるガイドワイヤ３を血管内に挿入し、病変部Ｘまで導入する。
【００２２】
ガイドワイヤ３が配置された後には、ガイドワイヤ３の基端をシース６の先端からアリ溝５内に挿入し、ガイドワイヤ３をガイドしながらルーメン４内に光学部材７を収納したシース６を血管内に挿入し、シース６の先端を病変部Ｘの近傍に配置する。
この場合において、アリ溝５内に挿入されたガイドワイヤ３はアリ溝５の開口部１０から周方向の一部を突出させた状態で収容されるが、ガイドワイヤ３の外形寸法がアリ溝５の開口部１０より大きいので、ガイドワイヤ３はアリ溝５の開口部１０から外部に脱落することなく、シース６を病変部Ｘまで円滑にガイドすることができる。
【００２３】
そして、この場合において、図４に破線で示される仮想シース（最小必要肉厚ａによってアリ溝５の開口部１０が閉じられて形成されたルーメン４’を有し、該ルーメン４’にガイドワイヤ３を挿入する構造のシース）と比較して、ガイドワイヤ３をアリ溝５に挿入することにより、ガイドワイヤ３の外側にシース６に最小必要肉厚ａが不要となり、その分、長径方向の幅寸法Ｃを小さくすることができる。さらに、本実施形態においては、短径方向の幅寸法Ａを長径方向の幅寸法Ｃより小さくすることで、全体にわたって細径化を図ることができる。これにより、より細い血管にも容易に導入することができるという利点がある。
【００２４】
また、本実施形態においては、シース６がＸ線用造影材を含有した材料により構成されているので、Ｘ線観察下においてシース６の先端位置を明確に識別することができ、病変部Ｘの近傍に正確に配置することができる。
この状態で、血管内をフラッシュしてから光学部材７による血管内の観察を開始する。
【００２５】
このように本実施形態に係る血管用光学装置２および血管用光学システム１によれば、ガイドワイヤ３を案内するアリ溝５を採用し、かつ、長径方向の幅寸法Ｃよりも短径方向の幅寸法Ａを小さく設定しているので、横断面形状を小さく抑えて、より細い血管へのシース６の導入を容易にすることができるという利点がある。また、横断面形状を小さく抑えた分だけ、シース６の外側にスペースを確保できて、そのスペースを利用して別の処置具、あるいは、フラッシュ用の流体の導入経路を確保することができるという利点もある。
【００２６】
なお、本実施形態においては、シース６の横断面形状を長円形状として説明したが、これに代えて、図５に示されるように、楕円形状に構成してもよいし、図６に示されるように、光学部材７の外径およびガイドワイヤ３の外径に合わせて長径方向に非対称な形状を採用してもよい。
【００２７】
また、アリ溝５の横断面形状を円形として説明したが、これに代えて、ガイドワイヤ３の外面に内接する内面形状であれば、図７に示されるように、開口部１０から内部に向かって次第に広がる溝幅を有する形状であってもよい。あるいは、図８に示されるように、アリ溝５の底面近傍が、ガイドワイヤ３の直径寸法と略同等の溝幅を有する形状であってもよい。さらに、図９に示されるように、ガイドワイヤ３の横断面に外接する多角形状の横断面形状を有するアリ溝５を採用してもよい。
【００２８】
また、横断面において、アリ溝５の内面とシース６の外面とが交差する境界には、開口部１０の両側に、シース６の長手方向に沿って稜線が形成されるが、アリ溝５の内面とシース６の外面との角度が近接すると稜線が薄く尖鋭になる。この場合には、図１０に示されるように、稜線にエッジが形成されないようにＲ加工を施すことが好ましい。Ｒ加工は、シース６の成形時に施してもよいし、成形後に施してもよい。
【００２９】
また、本実施形態においては、光学部材７として、光ファイバスキャナを備える照明部９の周囲に周方向に配列された複数の光ファイバからなる光検出部８を備えるものを例示したが、これとは逆に、光検出部８の周囲に照明用の光ファイバを収容光に配列した照明部９を配置してもよい。
また、照明部９のみあるいは光検出部８のみをルーメン４に挿入してもよい。
【００３０】
また、長尺部材としてガイドワイヤ３を例示したが、ガイドワイヤ３をガイドとしてシース６を血管内に導入した後に、ガイドワイヤ３をアリ溝５から抜き去り、その後アリ溝５をガイドとして他の処置具を導入することにしてもよい。
【００３１】
また、本実施形態においては、シース６として、単一のルーメン４に光検出部８とおよび照明部９を配置するものを例示したが、これに代えて、図１１に示されるように、シース６に２つのルーメン４が設けられ、各ルーメン４に光検出部８および照明部９を別個に配置してもよい。
この場合、シース６は、シース６の長径方向の幅寸法の半径をＺ、シース６の短径方向の幅寸法の半径をＨとする、Ｈ＜Ｚの関係を満足する略楕円形状の横断面形状を有している。
【符号の説明】
【００３２】
１  血管用光学システム
２  血管用光学装置
３  ガイドワイヤ（長尺部材）
４  ルーメン
５  アリ溝
６  シース
７  光学部材
８  光検出部
９  照明部
１０  開口部
Ｘ  病変部（被写体）
【図１】
2018167968.tif 000003
【図２】
2018167968.tif 000004
【図３】
2018167968.tif 000005
【図４】
2018167968.tif 000006
【図５】
2018167968.tif 000007
【図６】
2018167968.tif 000008
【図７】
2018167968.tif 000009
【図８】
2018167968.tif 000010
【図９】
2018167968.tif 000011
【図１０】
2018167968.tif 000012
【図１１】
2018167968.tif 000013
【国際調査報告】
2018167968.tif 000014
2018167968.tif 000015